(57)【要約】【課題】クレーン作業において作業範囲を拡大し、屋内や障害物等による狭い状況での吊り作業を可能とし、更に従来のクレーンによる吊り作業を可能にしたまま同時に補助ジブによる吊り作業を可能とするウィンチ付き補助ジブ装置及びアタッチメント取付用ブラケットを提供する。【解決手段】ブームＡの先端部にアタッチメント取付用ブラケットＢを溶接し、ウィンチ付き補助ジブ装置を着脱可能にして取り付け、ウィンチＤからワイヤーｄ１を引き出し補助ジブＥの先端に取り付けてある滑車１５に掛けてワイヤーｄ１の先端にフックｄ２を取り付け使用することにより作業範囲の拡大を可能にした。また、補助ジブＥの構造が細くて長くフックｄ２が小さいので吊り代がより長く確保でき、更にウィンチＤはクレーンのウィンチとは別の動力を用いているため、従来のクレーンによる吊り作業を可能としたまま補助ジブによる吊り作業を可能とした。【選択図】図１
0003187279.tif 000002
【実用新案登録請求の範囲】
【請求項１】
車両搭載型クレーンによる作業範囲、作業効率の改善を目的とするアタッチメントであり、ブームの先端にアタッチメント取付用ブラケットを溶接し、クレーンのウィンチとは別の動力を用いたウィンチをブーム先端に取り付けることで、従来のクレーンによる吊り作業を可能にすると同時に補助ジブによる吊り作業を可能とし、更に補助ジブにおいてクレーンのブームの伸縮操作によってフックが巻き上げられる事象及ぶ巻き下げられる事象を解消してクレーン操作ができるよう設けられてなることを特徴とするウィンチ付き補助ジブ装置
【請求項２】
補助ジブ及び補助ジブを支持するテンションロッドを接続ピンの抜き差しにより容易に着脱可能にして取り付けてなるとともに、補助ジブとテンションロッドの間にウィンチを着脱可能にして取り付けてなることを特徴とする請求項１記載のアタッチメント取付用ブラケット。
【考案の詳細な説明】
【技術分野】
【０００１】
本考案は、車両搭載型クレーンのブーム先端に取り付けて、従来のクレーンによる吊り作業に加えて更なる作業範囲の拡大を可能とし、クレーンのウィンチとは別動力のウィンチを用いることによって、作業効率、作業性能を大幅に改善したウィンチ付き補助ジブ装置及びアタッチメント取付用ブラケットに関する。
【背景技術】
【０００２】
３ｔ未満の車両搭載型クレーンや小型のクローラークレーンにおいて、補助ジブ装置は通常オプションとして設定されている。補助ジブを装着するためのブラケットをブームの先端に溶接して取り付ける補助ジブや、補助ジブの装着が可能となるように最初から設計された伸縮ブーム及び補助ジブが知られている。（特許文献１、特許文献２参照）
【特許文献１】特開平０１−２３１７９７号公報
【特許文献２】特開２００９−２８６６１２号公報
【考案の概要】
【考案が解決しようとする課題】
【０００３】
しかしながら、上記特許文献１による補助ジブによると、クレーンのワイヤーを補助ジブに掛け替えて有効揚程を大きくすることが特徴であることから、従来のクレーンによる吊り作業を補助ジブによる吊り作業に変更しなければならないという問題点があり、また、上記特許文献２による伸縮ブーム及び補助ジブは、補助ジブが装着できるようにもともと設計された伸縮ブームでなければ装着できないという点と、サーチャフックと呼ばれるウィンチ及びワイヤーを使用せず、フックが補助ジブの先端に直接取り付けられている補助ジブであることから伸縮ブームの伸縮操作及び起伏操作による吊り作業となるため、垂直に吊りあげる操作に難を有するという問題点や障害物を超えて吊り下ろす作業となるとブームが障害物と接触してしまうという問題点がある。
そこで、本考案はこのような問題点から従来のクレーンによる吊り作業を可能としたままそれと同時に補助ジブによる吊り作業を可能とし、クレーンのウィンチとは別動力のウィンチ操作による補助ジブの定位置での吊り上げ及び吊り下げ操作が可能となるウィンチ付き補助ジブ装置を提供することを目的としている。
【課題を解決するための手段】
【０００４】
上記課題を解決するために、本考案の第一の考案は、従来のクレーンによる吊り作業及びブーム先端構造に支障をきたさぬようウィンチ及び補助ジブ、テンションロッドがそれぞれ着脱可能となるアタッチメント取付用ブラケットであって、前記ブームの先端部を挟み込むように左右対に側板を溶接し、その側板の前記ブーム先端より前方に延出された部分にはアタッチメント取付用の接続ピン及び接続ボルトを挿通させる挿通孔を設け、接続ボルトに対しては接続ナットを前記側板挿通孔の内端に溶接され、また前記側板の前記ブーム先端より延出された部分には補強のため支持板の溶接と支持ボルトによる固定がなされていることを特徴としているアタッチメント取付用ブラケットである。
【０００５】
第一の考案によるアタッチメント取付用ブラケットであれば、アタッチメント取付用の接続ピン及び接続ボルトを利用してウィンチ取付用ブラケット及びウィンチ、補助ジブ、テンションロッドがそれぞれブームの先端より着脱可能となる。また、ブームの先端部に広く溶接されていることで強固な構造となっている。
【０００６】
また、本考案のうち第二の考案は、クレーンのブーム先端に溶接されたアタッチメント取付用ブラケットに着脱可能にして取り付けてなるウィンチ付き補助ジブ装置であって、テンションロッドと共に接続ピンによるアタッチメント取付用ブラケットとの四点支持で、補助ジブの先端部とテンションロッドの先端が接続ピンにて支持されているため強固に装着されている。また、補助ジブとテンションロッドとの間にウィンチを設けられるスペースを有しており、そのスペースに装着されたウィンチから引き出されたワイヤーが補助ジブの先端に取り付けられた滑車に掛けられ、そのワイヤーの先端にフックが取り付けられていることを特徴としている。
【０００７】
第二の考案による補助ジブ装置であれば、上記ウィンチ操作による吊り上げ及び吊り下げ作業が可能となり、上記ウィンチは上記クレーンのウィンチとは別の動力のため、従来のクレーンによる吊り作業を可能としながら同時に補助ジブによる吊り作業が可能となり、また補助ジブのウィンチはクレーンの伸縮ブームの先端に取り付けられていることによって、ブームの伸縮操作による補助ジブのフックまたはワイヤーが巻き上げられてしまう事象及び巻き下げられてしまう事象を解消していることで補助ジブのワイヤーの巻き代を気にすることなくウィンチ付き補助ジブ装置を装着したまま従来のクレーンによる吊り作業が可能となる。
【考案の効果】
【０００８】
本考案のウィンチ付き補助ジブ装置及びアタッチメント取付用ブラケットによれば、補助ジブ及びウィンチを強固に着脱可能にして取り付けることができ、クレーンのウィンチとは別の動力を用いたウィンチをブームの先端に取り付けて使用することによって、ウィンチ付き補助ジブ装置を装着したまま従来のクレーンによる吊り作業を可能とすると同時に、補助ジブによる吊り作業が可能となる。また、補助ジブの構造が細くて長いため屋内や障害物等によって有効な吊り代が確保できないような狭い状況下での吊り作業を可能とする。
【図面の簡単な説明】
【０００９】
【図１】本考案によるウィンチ付き補助ジブ装置及びアタッチメント取付用ブラケットがブーム先端に取り付けられた実施例として示す斜視図である。
【図２】本考案によるウィンチ付き補助ジブ装置及びアタッチメント取付用ブラケットがブーム先端に取り付けられる以前の各部を記す斜視図である。
【図３】本考案の実施例として、従来のクレーンによる吊り作業と同時に、ウィンチ付き補助ジブ装置による吊り作業を行うことによって吊り荷の傾斜角度を容易に調整できることを示す斜視図である。
【考案を実施するための形態】
【００１０】
本考案を実施するための形態は、クレーンのブーム先端部にアタッチメント取付用ブラケットを溶接することによって、ウィンチ付き補助ジブ装置を着脱可能にして取り付けて使用するようにした形態であり、以下に実施例として図面を参照に説明する。
【実施例１】
【００１１】
図１は、本考案による補助ジブ装置及びアタッチメント取付用ブラケットを取り付けた実施例を示す斜視図であり、ブームＡの先端に溶接されたアタッチメント取付用ブラケットＢの先端にウィンチＤがウィンチ取付用ブラケットＣを介して取り付けられ、ウィンチＤの下方に補助ジブＥがアタッチメント取付用ブラケットＢに取り付けられ、ウィンチＤの上方にテンションロッドＦがアタッチメント取付用ブラケットＢに取り付けられ、テンションロッドＦの先端が補助ジブＥの先端部に接続されテンションロッドＦによって補助ジブが支持される形となり、ウィンチＤから引き出されたワイヤーｄ１が補助ジブＥの先端に取り付けられた滑車１５に掛けられ、ワイヤーｄ１の先端にフックｄ２が取り付けられている。
【００１２】
図２は本考案によるウィンチ付き補助ジブ装置及びアタッチメント取付用ブラケットがブーム先端に取り付けられる以前の各部を示す斜視図であり、これにより各部の取付接続実施例を説明する。ブームＡの先端部にアタッチメント取付用ブラケットＢを挟み込むように取り付け溶接される。アタッチメント取付用ブラケットＢの対となる側板１８の先端中央部に挿入孔１が対となるように設けられ、対となる挿入孔１の内端に接続ナットが溶接されていて、ウィンチ取付用ブラケットＣの挿通孔２とアタッチメント取付用ブラケットＢの挿通孔１とで接続ボルト３によって取り付けられる。また、アタッチメント取付用ブラケットＢは、強度を増すために両側板１８を支持ボルト１６によって補強され、更に支持板１７の溶接によって補強されている。
【００１３】
また、図２からウィンチＤがブラケットＣの挿通孔４を介して接続ボルト５によって取り付けられ、ウィンチＤの下方に補助ジブＥが挿通孔７とブラケットＢの挿通孔６に接続ピン８によって取り付けられ、ウィンチＤの上方にテンションロッドＦが挿通孔１０とブラケットＢの挿通孔９に接続ピン１１によって取り付けられ、テンションロッドＦの先端挿通孔１３が補助ジブＥの先端部挿通孔１２に接続ピン１４で取付支持され、ウィンチＤから引き出されたワイヤーｄ１が補助ジブＥの先端に取り付けられた滑車１５に掛けられ、ワイヤーｄ１の先端にフックｄ２が取り付けられる。
【実施例２】
【００１４】
図３は従来のクレーンによる吊り作業と同時にウィンチ付き補助ジブ装置による吊り作業を行った実施例を示す斜視図であり、クレーンＡのフックａを使用すると同時に、ウィンチＤから引き出され補助ジブＥの先端に取り付けられた滑車１５を通して下げられたワイヤーｄ１の先端に取り付けられたフックｄ２を使用し、荷Ｇを吊り上げることによって吊り荷Ｇが吊り上げられている状態の傾斜角度を容易に調整することが可能であることを示している。
【００１５】
また図１図２図３より、ウィンチＤは電動ウィンチを使用しているため、動力源はウィンチＤから出ている電源コードｄ３を直接車両のバッテリーとつなげる使用となっている。
【産業上の利用可能性】
【００１６】
本考案のウィンチ付き補助ジブ装置に装着される電動ウィンチには有線のリモコンのほかに無線のリモコンが使用できるため、車両及びクレーンから離れた場所でもスウィッチ一つで補助ジブによる巻き上げ及び巻き下げ操作ができ、容易に吊り荷を上下させる事が可能である。
【符号の説明】
【００１７】
１      挿通孔及び接続ナット
２      挿通孔
３      接続ボルト
４      挿通孔
５      接続ボルト
６      挿通孔
７      挿通孔
８      接続ピン
９      挿通孔
１０    挿通孔
１１    接続ピン
１２    挿通孔
１３    挿通孔
１４    接続ピン
１５    滑車
１６    支持ボルト
１７    支持板
１８    側板
Ａ      クレーン及びブーム
Ｂ      アタッチメント取付用ブラケット
Ｃ      ウィンチ取付用ブラケット
Ｄ      ウィンチ
Ｅ      補助ジブ
Ｆ      テンションロッド
Ｇ      吊り荷
ａ      （クレーンの）フック
ｄ１    ワイヤー
ｄ２    （補助ジブの）フック
ｄ３    電源コード
【図１】
0003187279.tif 000003
【図２】
0003187279.tif 000004
【図３】
0003187279.tif 000005
【手続補正書】
【提出日】平成25年9月11日(2013.9.11)
【手続補正１】
【補正対象書類名】実用新案登録請求の範囲
【補正対象項目名】請求項１
【補正方法】変更
【補正の内容】
【請求項１】
ウィンチ付き補助ジブ装置は、車両搭載型クレーン先端部左右両側面に対となるよう側板を溶接したアタッチメント取付用ブラケットにより着脱可能にして取り付けてなるアタッチメントであって、アタッチメント取付用ブラケット先端中央部に電動ウィンチが接続ボルト４本で着脱可能にして取り付けてなるウィンチ取付用ブラケットを接続ボルト４本左右２本ずつ対となるよう接続され取り付けてなり、電動ウィンチのワイヤーを利用して車両搭載型クレーンの吊り作業と同様の吊り作業を可能とするために、先端部に滑車が設けられた補助ジブをアタッチメント取付用ブラケット先端部の電動ウィンチ取付部下方に接続ピンの挿通により取り付けてなり、アタッチメント取付用ブラケット先端部の電動ウィンチ取付部上方に補助ジブを支持するためのテンションロッド２本を左右対となるよう接続ピンの挿通により取り付けてなり、テンションロッド先端部と補助ジブ先端部に接続ピン２本を対となるよう取付支持してなる構成を特徴とするウィンチ付き補助ジブ装置。
【手続補正２】
【補正対象書類名】実用新案登録請求の範囲
【補正対象項目名】請求項２
【補正方法】変更
【補正の内容】
【請求項２】
前記アタッチメント取付用ブラケットは、車両搭載型クレーンのブーム先端部を左右から挟み込むように側板が対となるよう溶接され、左右両側板先端中央部にウィンチ取付用ブラケットが着脱可能にして取り付けられるように上下２か所左右対となるよう計４か所の挿通孔が設けられ、その挿通孔の内側に接続ボルトが取り付けられるようナットがそれぞれ溶接され、ウィンチ取付用ブラケット接続用挿通孔の下方に補助ジブ接続用接続ピンが挿通されるための挿通孔が左右対となるように設けられ、ウィンチ取付用ブラケット接続用挿通孔の上方にテンションロッド接続用接続ピンが挿通されるための挿通孔が左右対となるように設けられ、左右対となる側板間には強度を増すために先端中央部及び下部にそれぞれ支持板の溶接と上部に支持ボルトの取り付けによる補強がなされて構成されていることを特徴とする請求項１記載のウィンチ付き補助ジブ装置。